(57)【要約】      （修正有）【課題】開口部を有して内容物を収納可能な複数の小カップと、それらの開口部を一度に密封可能なシートから構成される包装容器において、必要な情報を個別の小カップに表示することができ、個別の小カップの切り離しを、容易かつ正確に行なうことができる包装容器およびその製造方法を提供する。【解決手段】小カップ１と、シールシート蓋２、ラベル３とから構成される包装容器において、小カップは、開口部６の周縁部４でシールシート蓋とシールされて密封されており、シールシート蓋は、小カップを切り離して個別の分封容器を形成可能に、切り離し加工５が施されており、ラベルは、小カップに対応する位置のシールシート蓋の包装容器外側に接着されており、ラベルには、小カップを切り離し後の個別の分封容器において、個別の内容物に対応した情報が表示されている。【選択図】図１
2020128218.tif 000002
【特許請求の範囲】
【請求項１】
開口部を有して内容物を収納可能な複数の小カップと、それら複数の小カップの開口部を一度に被覆可能なシールシート蓋、および内容物に関する情報が表示されるラベルとから構成される包装容器において、
複数の小カップは、連続することなく独立して配置されており、
小カップは、開口部の周縁部でシールシート蓋とシールされて密封されており、
シールシート蓋は、小カップを切り離して個別の分封容器を形成可能に、切り離し加工が施されており、
ラベルは、小カップに対応する位置のシールシート蓋の包装容器外側に接着されており、
ラベルには、小カップを切り離し後の個別の分封容器において、個別の内容物に対応した情報が表示されていることを特徴とする包装容器。
【請求項２】
前記シールシート蓋に設けられた切り離し加工は、ミシン目加工、またはハーフカット加工によるものであることを特徴とする、請求項１に記載の包装容器。
【請求項３】
前記内容物が薬剤であって、前記ラベルに表示される情報に、その誤飲防止のための情報が含まれていることを特徴とする、請求項１または請求項２に記載の包装容器。
【請求項４】
前記ラベルに表示される情報には、内容物識別のためのバーコードが含まれていることを特徴とする、請求項１〜請求項３のいずれかに記載の包装容器。
【請求項５】
請求項１〜請求項４のいずれかに記載の包装容器の製造方法であって、
シールシート蓋で、複数の小カップの開口部を一度に被覆する工程と、
個別の内容物に対応した情報を表示したラベルを、小カップに対応した位置の、シールシート蓋の外側に接着する工程を含んでおり、
ラベルの、シールシート蓋への接着は、ラベル部分を抜き部として、接着剤層を有するラベルシートをシールシート蓋に積層、接着させた後、
ラベルシートの抜き部以外の、地の部分を剥離、除去するものであり、
抜き部は、抜き止め部を有する打ち抜き加工、によってラベル部分を形成することを特徴とする、包装容器の製造方法。
【請求項６】
請求項５に記載の包装容器の製造方法であって、
接着剤層を有するラベルシートは、ラベルの抜き部以外の、地の部分の接着剤層を除去したのちに、シールシート蓋に接着するものであることを特徴とする、包装容器の製造方法。
【発明の詳細な説明】
【技術分野】
【０００１】
本発明は、包装容器およびその製造方法に関するものである。特に小容器を複数個有して、密封された小容器を分封容器として、個別に切り離して分離可能な、包装容器およびその製造方法に関するものである。
【背景技術】
【０００２】
たとえば現代の医療において、個人個人の治療目的によって、複数の種類の薬剤が処方され、それぞれの薬剤を定められたタイミングで服用するといったことは、一般に行なわれている。
【０００３】
一例を挙げれば、たとえば患者個々人に対して、たとえば、朝昼晩などのタイミングで、異なった組み合わせの薬剤を投与するために、ある程度まとまった数量を容器に入れておき、服用に際しては、その都度該当する小容器を切り離して開封し、中に入れてある薬剤を服用するといったことが行なわれている。
【０００４】
この場合は、服用に際して一回分の薬剤を手のひらに移して、口腔内に投入するといった方法で服用が可能である。しかしながら、寝たままの姿勢や、患者の年齢や病状によってはこの作業がうまくいかず、薬剤が手のひらからこぼれ落ちる恐れもある。
【０００５】
それを防ぐために、切り離した小容器から、直接口腔内に投入しようとすれば、切り離しの際に生じる、バリやミシン目などの断面が、口唇に触れて不快であったり、痛みを伴う恐れがある。これは仮に介助者などが切り離しを行なって、患者に小容器を渡して服用しようとする場合でも同じである。
【０００６】
特許文献１には、個別に独立しているか、少なくとも一部は連続部分を持たない複数の小容器を、1枚の蓋で覆って密封したものを、切り離しは蓋の切り離しによって行ない、次いで小容器を開封するといった包装容器の提案がなされている。
【０００７】
しかしながら、一般には、前記蓋の上からさらに、薬剤の名称や種類を表記したり、服用に関するタイミング、注意事項を表示したシートを貼着して一体化させ、収納された薬剤を外側から知る必要がある。したがって、蓋の切り離しと同時に、シートも切り離すことが行なわれている。
【０００８】
ところがしばしば、この蓋の切り離し線と、シートの切り離し線にズレが発生して、切り離しに支障をきたす場合があり、改善が求められている。また、このような容器は薬剤の場合に限らず他の分野、用途においても同様である。
【先行技術文献】
【特許文献】
【０００９】
【特許文献１】特願２０１８−２２３２２０号公報
【発明の概要】
【発明が解決しようとする課題】
【００１０】
本発明は、かかる状況に鑑みてなされたものであり、開口部を有して内容物を収納可能な複数の小カップと、それらの開口部を一度に密封可能なシートから構成される包装容器において、必要な情報を個別の小カップに表示することができ、個別の小カップの切り離しを、容易かつ正確に行なうことができる包装容器およびその製造方法を提供することを
課題とする。
【課題を解決するための手段】
【００１１】
上記の課題を解決するための手段として、請求項１に記載の発明は、
開口部を有して内容物を収納可能な複数の小カップと、それら複数の小カップの開口部を一度に被覆可能なシールシート蓋、および内容物に関する情報が表示されるラベルとから構成される包装容器において、
複数の小カップは、連続することなく独立して配置されており、
小カップは、開口部の周縁部でシールシート蓋とシールされて密封されており、
シールシート蓋は、小カップを切り離して個別の分封容器を形成可能に、切り離し加工が施されており、
ラベルは、小カップに対応する位置のシールシート蓋の包装容器外側に接着されており、
ラベルには、小カップを切り離し後の個別の分封容器において、個別の内容物に対応した情報が表示されていることを特徴とする包装容器である。
【００１２】
また、請求項２に記載の発明は、
前記シールシート蓋に設けられた切り離し加工は、ミシン目加工、またはハーフカット加工によるものであることを特徴とする、請求項１に記載の包装容器器である。
【００１３】
また、請求項３に記載の発明は、
前記内容物が薬剤であって、前記ラベルに表示される情報に、その誤飲防止のための情報が含まれていることを特徴とする、請求項１または請求項２に記載の包装容器器である。
【００１４】
また、請求項４に記載の発明は、
前記ラベルに表示される情報には、内容物識別のためのバーコードが含まれていることを特徴とする、請求項１〜請求項３のいずれかに記載の包装容器である。
【００１５】
また、請求項５に記載の発明は、
請求項１〜請求項４のいずれかに記載の包装容器の製造方法であって、
シールシート蓋で、複数の小カップの開口部を一度に被覆する工程と、
個別の内容物に対応した情報を表示したラベルを、小カップに対応した位置の、シールシート蓋の外側に接着する工程を含んでおり、
ラベルの、シールシート蓋への接着は、ラベル部分を抜き部として、接着剤層を有するラベルシートをシールシート蓋に積層、接着させた後、
ラベルシートの抜き部以外の、地の部分を剥離、除去するものであり、
抜き部は、抜き止め部を有する打ち抜き加工、によってラベル部分を形成することを特徴とする、包装容器の製造方法である。
【００１６】
また、請求項６に記載の発明は、
請求項５に記載の包装容器の製造方法であって、
接着剤層を有するラベルシートは、ラベルの抜き部以外の、地の部分の接着剤層を除去したのちに、シールシート蓋に接着するものであることを特徴とする、包装容器の製造方法である。
【発明の効果】
【００１７】
本発明によれば、開口部を有して内容物を収納可能な複数の小カップと、それらの開口部を一度に密封可能なシートから構成される包装容器において、必要な情報を個別の小カップに表示することができ、個別の小カップの切り離しを、容易かつ正確に行なうことができる、包装容器およびその製造方法を提供することが可能である。
【００１８】
複数の小カップは、連続することなく独立して配置されており、小カップは、開口部の周縁部でシールシート蓋とシールされて密封されており、シールシート蓋は、小カップを切り離して個別の分封容器を形成可能に、切り離し加工が施されているために、個別の分封容器に切り離して分離を行なう際には、シールシート蓋の切り離し線で切り離すだけで良く、切り離しを容易かつ正確に行なうことができる、包装容器を提供することが可能である。
【００１９】
また、切り離し線はシールシート蓋にのみ設けられていることから、ラベルシートなど他の層との位置あわせの必要がないため、構成も簡単で、切り離しを容易かつ正確に行なうことが可能である。
【００２０】
それに加えて、切り離された後の個別の分封容器を開封した際には、切り離し加工の断面はシールシート蓋とともに取り去られるために、小カップの開口部の周縁部には、切り取りによるバリやギザギザの発生がなく、内容物を小カップから直接口に入れる際においても、口唇への不快感がない特徴を有する。
【００２１】
ラベルは、シールシート蓋の包装容器外側に接着されており、この接着されたラベルには、切り離し後の個別の分封容器において、個別の内容物に対応した情報が表示されていることによって、内容物の識別、管理を容易に行なうことができる。
【００２２】
たとえば、内容物が医薬品である場合には、服用に関しての指示、注意事項などの情報を個別の分封容器に表示することができるため、誤った投薬や、誤飲を防止することが可能である。
【００２３】
特に請求項２に記載の発明によれば、前記シールシート蓋に設けられた切り離し加工は、ミシン目加工、またはハーフカット加工によるものであることによって、より容易かつ正確に切り離しを行なうことが可能である。
【００２４】
特に請求項３に記載の発明によれば、内容物が薬剤であって、前記ラベルに表示される情報に、その誤飲防止のための情報が含まれていることによって、より安全性に配慮した包装容器とすることが可能である。
【００２５】
特に請求項４に記載の発明によれば、ラベルに表示される情報には、内容物識別のためのバーコードが含まれていることによって、内容物に関してよりきめ細かい管理が可能になる。
【００２６】
すなわち、バーコードによって、内容物の表示情報の機械的な読み取りが可能になり、間違いの防止や、管理のレベルアップ、記録や履歴のデータ管理など、機械化、電子化による利点を得ることができる。
【００２７】
特に請求項５に記載の発明によれば、本発明による包装容器の製造において、ラベルの貼り付け作業を、より確実かつ、効率的に行なうことができる製造方法とすることができる。
【００２８】
特に請求項６に記載の発明によれば、本発明による包装容器の製造において、ラベルの貼り付け作業を、より確実かつ、より効率的に行なうことができる製造方法とすることができる。
【図面の簡単な説明】
【００２９】
【図１】図１は、本発明に係る包装容器の一実施態様とその構造を説明するための、斜視模式図である。
【図２】図２は、本発明に係る包装容器の一実施態様において、ラベルシートを用いてラベルを接着する場合の包装容器、およびその製造方法の説明をするための斜視模式図である。
【図３】図３は、本発明に係る包装容器の一実施態様において、ラベルシートおよびその製造方法の説明をするための、平面模式図である。
【図４】図４は、本発明に係る包装容器の一実施態様において、ラベルシートを接着したのち、地の部分を剥離して包装容器を製造する方法を説明するための、斜視模式図である。
【図５】図５は、本発明に係る包装容器の一実施態様において、あらかじめ地の部分の接着剤を除去したラベルシートを接着したのち、地の部分を剥離して包装容器を製造する方法を説明するための、斜視模式図である。
【図６】図６は、本発明に係る包装容器の一実施態様を説明するための、斜視模式図である。
【図７】図７は、本発明に係る包装容器の一実施態様において、個別に分離した分封容器とその構造を説明するための、斜視模式図である。
【発明を実施するための形態】
【００３０】
以下、本発明を図１〜図７を参照しながら、更に詳しい説明を加える。ただし本発明は、ここに示す例にのみ限定されるものではない。本発明は、請求項によって限定されるものである。
【００３１】
図１は、本発明に係る包装容器の一実施態様とその構造を説明するための、斜視模式図である。
【００３２】
本発明は、包装容器に係るものであって、この包装容器（１００）は開口部（６）を有して内容物を収納可能な複数の小カップ（１）と、それら複数の小カップ（１）の開口部を一度に被覆可能なシールシート蓋（２）、および内容物に関する情報が表示されるラベル（３）とから構成される。
【００３３】
これらの小カップ（１）は、開口部（６）の周縁部（４）でシールシート蓋（２）とシールされて密封され、一体化されている。
【００３４】
シールシート蓋（２）は、小カップ（１）を個別に切り離し可能に、切り離し加工（５）が施されている。図１に示す例においては、切り離し加工（５）は、縦方向に４本、横方向に３本形成されている例であって、切り離しを行なって小カップ（１）を個別に切り離して、個別の分封容器に分離する場合には、２０個の個別の分封容器に分離することができる。
【００３５】
ラベル（３）は、小カップ（１）の位置に合わせてシールシート蓋（２）の包装容器外側に接着されており、この接着されたラベル（３）には、切り離し後の個別の分封容器において、個別の内容物に対応した情報が表示されている。
【００３６】
本発明においては、シールシート蓋（２）に設けられた切り離し加工（５）は、ミシン目加工、またはハーフカット加工とすることができる。これらの加工によって、切り離しは、より容易かつ正確に行なうことが可能である。
【００３７】
すなわち、図１に示す例においては、シールシート蓋（２）は、縦方向４個、横方向５
個の計２０個の小カップ（１）を被覆し、その開口部（６）をその周縁部（４）でシールして密封し、一体化している状態である。
【００３８】
この２０個の小カップ（１）は、シールされ、また内容物に関する情報が表示されるラベル（３）が接着されたのち、２０個の分封容器として、切り離し、分離することができる。
【００３９】
本発明においては、この切り離しは、シールシート蓋に設けられた切り離し加工によって行なわれる。切り離し加工は、このシールシート蓋にのみ設けられているために、ほかの層との位置あわせなどは必要がなく、容易かつ正確な切り離しが可能である。
【００４０】
また、切り離しの断面は、シールシート蓋にのみ存在するものであるから、切り離された後の個別の分封容器を開封した際には、小カップの開口部の周縁部には、切り取りによるバリやギザギザの発生がなく、内容物を小カップから直接口に入れる際においても、口唇への不快感がない特徴を有する。
【００４１】
加えて、切り離し加工を、ミシン目加工、またはハーフカット加工とする場合には、より容易にまた確実に、正確に切り離しを行なうことが可能である。ミシン目加工の形成には特段の制約を設けるものではなく、たとえば機械的にミシン目加工を行なうことが可能であり、あるいはレーザー光によるハーフカット可能であって、適宜選択することができる。
【００４２】
また、本発明においては、内容物が薬剤であって、ラベルに表示される情報に、その誤飲防止のための情報を含んだものとすることができる。
【００４３】
ラベルは、シールシート蓋の包装容器外側に接着されており、この接着されたラベルには、切り離し後の個別の分封容器において、個別の内容物に対応した情報が表示されている。これによって、内容物の識別、管理を容易に行なうことができる。
【００４４】
したがって、たとえば内容物が医薬品である場合には、服用に関しての指示、注意事項などの情報を個別の分封容器に表示することができるため、誤った投薬や、誤飲を防止することが可能である。すなわち、誤飲事故を防止して安全性の確保、向上に効果的である。
【００４５】
また、本発明においては、ラベルに表示される情報には、内容物識別のためのバーコードを含んだものとすることができる。
【００４６】
すなわち、本発明による包装容器においては、ラベルに表示される情報は、個別の内容物に対応した情報を含ませることが可能である。
【００４７】
また、その表示は、文字情報であっても良く、また色彩を用いたり、絵柄や記号を用いて識別できる形を取るのでもよく、写真のようなグラフィックによるものでもよい。
【００４８】
さらに、個別の内容物に対応した情報を、バーコードにすることによって、読み取りを機械化することが可能になり、間違いをなくし、また管理をレベルアップしたり、履歴などを記録することも可能である。
【００４９】
図２は、本発明に係る包装容器の一実施態様において、ラベルシートを用いてラベルを接着する場合の包装容器、およびその製造方法の説明をするための斜視模式図である。
【００５０】
本発明による包装容器は、その製造において、シールシート蓋（２）で、複数の小カップ（１）の開口部を一度に被覆する工程と、個別の内容物に対応した情報を表示したラベル（３）を、小カップ（１）に対応した位置の、シールシート蓋（２）の外側に接着する工程を含む。
【００５１】
ラベル（３）の、シールシート蓋（２）への接着は、ラベル部分を抜き部として、接着剤層を有するラベルシート（７）をシールシート蓋（２）に積層、接着させることができる。
【００５２】
図２に示す例においては、ラベルシート（７）には、縦方向に４個、横方向に５個、合計２０個のラベルが配置されており、これらは、シールシート蓋（２）にシールして配置された、縦方向に４個、横方向に５個の合計２０個の小カップ（１）の位置に対応している。
【００５３】
このとき個々のラベル（３）には、個々の対応する小カップ（１）の内容物に対応した情報が表示されている。これによって、シールシート蓋（２）へのラベル（３）の接着を、一度に行なうことができ、ラベル（３）の貼り付け作業を、より確実かつ、効率的に行なうことができる。
【００５４】
図３は、本発明に係る包装容器の一実施態様において、ラベルシートおよびその製造方法の説明をするための、平面模式図である。
【００５５】
前述のように、個々のラベル（３）には、個々の対応する小カップ（１）の内容物に対応した情報が表示されており、小カップ（１）に対応した位置の、シールシート蓋（２）の外側に接着する。接着はラベルシート（７）の裏面に設けてある、接着層（１８）によって行なうことができる。
【００５６】
図３に示す例においては、図２に示す例に同じく、ラベルシート（７）に縦方向４個、横方向５個の、合計２０個のラベル（３）が設けられている例である。
【００５７】
すなわち、個々のラベル（３）に表示された表示情報（１１）は、対応する個々の小カップ（１）の内容物に応じて、個々の表示情報（１１）が表示されている状態であって、これは最大で、小カップ（１）の個数である２０個までの個別の表示情報（１１）とすることができる。
【００５８】
また、図３に示す例の、一部拡大した部分に示すとおり、ラベル（３）は抜き部（１２）であって、抜き止め部（９）を有する打ち抜き加工（８）、によって抜き部（１２）として形成することができる。
【００５９】
すなわち、抜き部（１２）は、ラベルシート（７）をシールシート蓋（２）に全面貼り付けしてのち、抜き部（１２）以外の、地の部分（１０）を剥離、除去することによって、抜き止め部（９）がちぎれる。
【００６０】
その結果、打ち抜き加工（８）が繋がり、円形のラベル（３）として、シールシート蓋（２）に接着した状態で残留することができる。このラベルシート（７）の剥離、除去については、さらに後述する。
【００６１】
図４は、本発明に係る包装容器の一実施態様において、ラベルシートを接着したのち、地の部分を剥離して包装容器を製造する方法を説明するための、斜視模式図である。
【００６２】
図４に示す例において、ラベルシート（７）をシールシート蓋（２）に全面貼り付けして後、抜き部（１２）以外の、地の部分（１０）を一部剥離している状態である。剥離はラベルシート（７）を図中矢印の方向に引っ張って行なうことができる。
【００６３】
このとき、ラベル（３）は抜き部（１２）であって、抜き止め部（９）を有する打ち抜き加工（８）、によって抜き部（１２）として形成されている。
【００６４】
したがって、ラベルシート（７）をシールシート蓋（２）に全面貼り付けして後、抜き部（１２）以外の、地の部分（１０）を剥離、除去することによって、抜き止め部（９）がちぎれて、円形のラベルとして、シールシート蓋（２）に接着した状態で残留することができる。
【００６５】
図３で示すように抜き止め部（９）は打ち抜き加工（８）に比べて長さが短く、脆弱であるために、この抜き部（１２）のシールシート蓋（２）への残留が可能になる。シールシート蓋（２）に接着して残留したラベルは、図４に示す例において、ラベル（３）で示されている。
【００６６】
すなわち、ラベルシート（７）の地の部分（１０）が剥離されて、シールシート蓋（２）には、ラベル（３）が接着された状態で残留し、対応する小カップ（１）の内容物についての情報を、容器（１００）外部から可視の状態にすることができる。
【００６７】
本発明による包装容器（１００）は、このような製造方法を用いることによって、ラベル（３）のシールシート蓋（２）への貼り付け作業を、より確実かつ、効率的に行なうことができる。
【００６８】
図５は、本発明に係る包装容器の一実施態様において、あらかじめ地の部分の接着剤を除去したラベルシートを接着したのち、地の部分を剥離して包装容器を製造する方法を説明するための、斜視模式図である。
【００６９】
図５に示す例において、ラベルシート（１７）をシールシート蓋（２）に全面貼り付けして後、抜き部（１２）以外の、地の部分（１０）を一部剥離している状態である。剥離はラベルシート（７）を図中矢印の方向に引っ張って行なうことができる。
【００７０】
これは、図４に示す例とは異なり、このときのラベルシート（１７）は、ラベルシートの抜き部以外の、地の部分の接着剤層を除去したものとした例である。すなわち、接着剤層を除去した地の部分（１３）とした例である。このラベルシート（１７）をシールシート蓋（２）に接着したのちに、ラベルシート（１７）を図中矢印の方向に引っ張って剥離するものである。
【００７１】
その結果、接着剤層を有する抜き部（１２）、すなわちラベル（３）のみが、シールシート蓋（２）に接着したまま残留することになる。この場合には、ラベルシート（１７）の剥離を、容易かつ確実なものとすることができる。
【００７２】
本発明による包装容器（１００）は、このような製造方法を用いることによって、ラベル（３）のシールシート蓋（２）への貼り付け作業を、より確実かつ、効率的に行なうことができる。
【００７３】
図６は、本発明に係る包装容器の一実施態様を説明するための、斜視模式図である。
【００７４】
図６に示す例は、前述のように、ラベル（３）の、シールシート蓋（２）への接着は、
ラベル部分を抜き部として、接着剤層を有するラベルシート（７）をシールシート蓋に積層、接着させた後、ラベルシートの抜き部以外の、地の部分（１０）を剥離、除去する方法によって得られた、包装容器（１００）である。
【００７５】
あるいはラベルシート（１７）として、ラベルの抜き部以外の、地の部分の接着剤層を除去したのちに、シールシート蓋に接着させた後、ラベルシート（１７）の抜き部以外の、接着剤層を除去した地の部分（１３）を剥離、除去する方法によって得られた、包装容器（１００）である。
【００７６】
この包装容器（１００）において、ラベル（３）は、小カップ（１）の配置された位置に対応して接着されており、個々の小カップ（１）に収納された内容物に対応した表示情報が、包装容器（１００）の外部から可視となっている。
【００７７】
またこの包装容器（１００）において、シールシート蓋（２）には、切り離し加工（５）が設けられており、この包装容器（１００）を、分封容器（２０）として切り離して、分離することができる。
【００７８】
図６に示す例においては、包装容器（１００）は、切り離し加工（５）によって、縦方向４個、横方向５個の、合計２０個の分封容器（２０）に切り離して、分離することができる。
【００７９】
図７は、本発明に係る包装容器の一実施態様において、個別に分離した分封容器とその構造を説明するための、斜視模式図である。
【００８０】
本発明による包装容器（１００）は、開口部を有して内容物を収納可能な複数の小カップ（１）と、それら複数の小カップ（１）の開口部を一度に被覆可能なシールシート蓋（２）、および内容物（１６）に関する情報が表示されるラベル（３）とから構成されるものである。
【００８１】
この複数の小カップ（１）は、連続することなく独立して配置されており、小カップ（１）は、開口部の周縁部でシールシート蓋（２）とシールされて密封されており、シールシート蓋（２）は、小カップ（１）を切り離して個別の分封容器（２０）を形成可能に、切り離し加工が施されている。
【００８２】
したがって、個別の分封容器（２０）に切り離して分離を行なう際には、シールシート蓋（２）の切り離し加工で切り離すだけで良く、切り離しを容易かつ正確に行なうことができる、包装容器（１００）を提供することが可能である。
【００８３】
また、切り離し加工はシールシート蓋（２）にのみ設けられていることから、ラベルシート（７）など他の層との位置あわせの必要がないため、構成も簡単で、切り離しを容易かつ正確に行なうことが可能である。
【００８４】
また、分封容器（２０）の開封は、たとえば手指などを用いて、シールシート蓋（２）を図中矢印（１５）の方向に引っ張って、小カップ（１）の開口部から剥離して行なうことができる。
【００８５】
したがって、切り離され分離された個別の分封容器（２０）を開封した際には、切り離し加工の断面（１９）は、シールシート蓋（２）とともに取り去られるために、小カップ（１）の開口部（６）の周縁部（４）には、切り離しによるバリやギザギザの発生がなく、内容物（１６）を小カップ（１）から直接口に入れる際においても、口唇への不快感がない特徴を有する。
【００８６】
また、切り離して分離した個別の分封容器（２０）には、それぞれ小カップ（１）の内容物（１６）に対応した表示情報（１１）を有したラベル（３）が接着されており、分封容器（２０）の外側から可視となっている。
【００８７】
ラベル（３）は、シールシート蓋（２）の包装容器外側に接着されており、この接着されたラベルには、切り離し後の個別の分封容器（２０）において、個別の内容物（１６）に対応した表示情報（１１）が表示されている。これによって、内容物（１６）の識別、管理を容易に行なうことができる。
【００８８】
特に、たとえば内容物（１６）が医薬品である場合には、服用に関しての指示、注意事項などの情報を個別の分封容器（２０）に表示することができるため、誤った投薬や、誤飲を防止することが可能である。すなわち、誤飲事故を防止して安全性の確保、向上に効果的である。
【００８９】
また、その表示情報（１１）は、文字情報であっても良く、また色彩を用いたり、絵柄や記号を用いて識別できる形を取るのでもよく、写真のようなグラフィックによるものでもよい。
【００９０】
また、本発明による包装容器（１００）においては、ラベル（３）に表示される表示情報（１１）には、内容物（１６）識別のためのバーコード（１４）を含んだものとすることができる。
【００９１】
すなわち、個別の内容物（１６）に対応した表示情報（１１）の一部、あるいは全部を、バーコード（１４）にすることによって、読み取りを機械化することなどが可能になり、間違いをなくし、また管理をレベルアップしたり、履歴などをデータとして記録することも可能であり、利便性の向上に有効である。
【００９２】
このように、本発明によれば、開口部を有して内容物を収納可能な複数の小カップと、それらの開口部を一度に密封可能なシートから構成される包装容器において、必要な情報を個別の小カップに表示することができ、個別の小カップの切り離しを、容易かつ正確に行なうことができる包装容器およびその製造方法を提供することが可能である。
【符号の説明】
【００９３】
１・・・小カップ
２・・・シールシート蓋
３・・・ラベル
４・・・周縁部
５・・・切り離し加工
６・・・開口部
７・・・ラベルシート
８・・・打ち抜き加工
９・・・抜き止め部
１０・・・地の部分
１１・・・表示情報
１２・・・抜き部
１３・・・接着剤層を除去した地の部分
１４・・・バーコード
１５・・・矢印
１６・・・内容物
１７・・・ラベルシート
１８・・・接着層
１９・・・切り離し加工の断面
２０・・・分封容器
１００・・・包装容器
【図１】
2020128218.tif 000003
【図２】
2020128218.tif 000004
【図３】
2020128218.tif 000005
【図４】
2020128218.tif 000006
【図５】
2020128218.tif 000007
【図６】
2020128218.tif 000008
【図７】
2020128218.tif 000009